(57)【特許請求の範囲】
【請求項１】
現像剤像を転写した媒体を通過させることにより加熱し、前記現像剤像を前記媒体に定着させる定着手段と、
この定着手段による前記媒体の加熱モードを前記媒体の種類に応じて第１の加熱モードとこの第１の加熱モードより高温である第２の加熱モードに可変する加熱モード可変手段と、
前記定着手段に接触する第１の位置とこの第１の位置から離間する第２の位置との間で移動自在に設けられ、前記加熱モード可変手段により、前記定着手段の加熱モードが前記第２の加熱モードから第１の加熱モードに可変されたとき、前記定着手段に接触する第１の位置に移動して前記定着手段を冷却する冷却手段と、
この冷却手段が前記定着手段から離間する前記第２の位置に移動したとき、前記冷却手段と前記定着手段との間に介在され、前記定着手段から前記冷却手段に向かう熱を遮断する断熱手段と、
を具備することを特徴とする定着装置。
【請求項２】
現像剤像を転写した媒体を通過させることにより加熱し、前記現像剤像を前記媒体に定着させる定着手段と、
この定着手段による前記媒体の加熱モードを前記媒体の種類に応じて第１の加熱モードとこの第１の加熱モードより高温である第２の加熱モードに可変する加熱モード可変手段と、
前記定着手段に接触する第１の位置とこの第１の位置から離間する第２の位置との間で移動自在に設けられ、前記第１の位置に移動することにより前記定着手段を冷却する冷却手段と、
前記冷却手段と前記定着手段との間に介在される第３の位置とこの第３の位置から離間する第４の位置との間で移動自在に設けられ、前記第３の位置に移動することにより、前記定着手段から前記冷却手段に向かう熱を遮断する断熱手段と、
前記冷却手段を前記第１及び第２の位置間で移動させるとともに、前記断熱手段を前記第３及び第４の位置間で移動させる単一の駆動源と、
を具備することを特徴とする定着装置。
【発明の詳細な説明】
【０００１】
【発明の属する技術分野】
本発明は、たとえば、カラー電子写真複写機に備えられる定着装置に関する。
【０００２】
【従来の技術】
カラー電子写真複写機においては、ＯＨＰに用いられる媒体（以下、ＯＨＰ用媒体という）あるいは厚紙にフルカラー画像を形成する場合、通常のコピー用紙と同じ条件でトナー像を定着させると、ＯＨＰ用媒体、厚紙の熱容量が大きいことから、ＯＨＰ用媒体、厚紙上のトナーが最下層まで十分に溶融しない。このため、色の再現性が悪くなるとともに、ＯＨＰ用媒体においては、透光性が悪くなる等の問題があった。
【０００３】
この問題を解決する手段として従来多く用いられているのが、ＯＨＰ用媒体や厚紙を使用する時は、定着速度を１／２〜１／３に低下させて加熱時間を長くするという方法である。
【０００４】
また、もう一つの方法としては、定着ローラの温度を記録媒体に応じて、たとえば、ＯＨＰ用媒体や厚紙の使用時には、定着ローラの温度を通常よりも１０℃高くするという方法である。
【０００５】
従来、定着ローラの表面の温度を上げたり下げたりするのは、通常の温度の上げ下げと同様に定着ローラ内部のヒートランプをオン、オフさせることによってのみ行なっている。
【０００６】
【発明が解決しようとする課題】
しかしながら、定着速度を低下させる方法では、コピー速度が低下してしまい処理効率が悪くなるという不都合がある。
また、タンデム方式においては最終転写位置から定着ローラのニップ部までの距離が記録媒体の長さよりも短い場合には、プロセス速度までも変えなければならず、制御系が複雑化するという問題がある。
【０００７】
一方、記録媒体の種類によって定着ローラの加熱温度を切り換える方法では以下のような問題がある。
カラー電子写真複写機の定着ローラとしては、通常、ソフトローラが用いられており、ローラ表面のゴム層は熱伝導率が悪く熱容量が大きい。このため、定着ローラ表面の温度が変化しにくい。
【０００８】
したがって、従来のように、定着ローラの内部のヒータランプのオン、オフだけでローラ表面の温度を上げ下げした場合、設定温度の切り換えに長時間を要し、稼働効率が悪くなる。
本発明は上記実情に鑑みなされたもので、定着手段の温度を迅速に設定温度に切り換えることができるようにした定着装置を提供することを目的とする。
【００１３】
【課題を解決するための手段】
本発明は上記課題を解決するため、請求項１記載のものは、現像剤像を転写した媒体を通過させることにより加熱し、前記現像剤像を前記媒体に定着させる定着手段と、この定着手段による前記媒体の加熱モードを前記媒体の種類に応じて第１の加熱モードとこの第１の加熱モードより高温である第２の加熱モードに可変する加熱モード可変手段と、前記定着手段に接触する第１の位置とこの第１の位置から離間する第２の位置との間で移動自在に設けられ、前記加熱モード可変手段により、前記定着手段の加熱モードが前記第２の加熱モードから第１の加熱モードに可変されたとき、前記定着手段に接触する第１の位置に移動して前記定着手段を冷却する冷却手段と、この冷却手段が前記定着手段から離間する前記第２の位置に移動したとき、前記冷却手段と前記定着手段との間に介在され、前記定着手段から前記冷却手段に向かう熱を遮断する断熱手段とを具備する。
【００１４】
請求項２記載のものは、現像剤像を転写した媒体を通過させることにより加熱し、前記現像剤像を前記媒体に定着させる定着手段と、この定着手段による前記媒体の加熱モードを前記媒体の種類に応じて第１の加熱モードとこの第１の加熱モードより高温である第２の加熱モードに可変する加熱モード可変手段と、前記定着手段に接触する第１の位置とこの第１の位置から離間する第２の位置との間で移動自在に設けられ、前記第１の位置に移動することにより前記定着手段を冷却する冷却手段と、前記冷却手段と前記定着手段との間に介在される第３の位置とこの第３の位置から離間する第４の位置との間で移動自在に設けられ、前記第３の位置に移動することにより、前記定着手段から前記冷却手段に向かう熱を遮断する断熱手段と、前記冷却手段を前記第１及び第２の位置間で移動させるとともに、前記断熱手段を前記第３及び第４の位置間で移動させる単一の駆動源とを具備する。
【００１９】
本発明は、定着手段の近傍に定着手段を表面側から加熱する加熱手段を設けることにより、定着手段をその内部からのみ加熱する場合と比較して定着手段の表面温度を上げるのに要する時間を短縮することができるようにする。
【００２０】
また、加熱手段を高熱伝導率の材質により構成して定着手段に接触させることにより、定着手段の表面をより迅速に加熱することができるようにする。
また、定着手段を冷却する冷却手段を備えることにより、定着手段の表面温度を下げるのに要する時間を短縮できるようにする。
【００２１】
また、冷却手段の非作動時には、冷却手段と定着手段との間に断熱部材を介在させることにより、定着ローラからの放射熱を遮断して、冷却手段の温度上昇を防止できるようにする。
【００２２】
さらに、定着手段を包囲するカバーの開口部を開放して冷却ファンを回転することにより、定着装置内部の熱を積極的に装置外部に逃がし、より速く定着手段を冷却することができるようにする。
【００２３】
また、加熱手段と冷却手段を兼用化し、更に定着手段への接離動作と断熱部材の開閉動作を同一の駆動源によって動作させることにより、簡単な機構で加熱と冷却の両方の機能を持たすことができるようにする。
【００２４】
【発明の実施の形態】
以下、本発明を図面に示す一実施の形態を参照して説明する。
図１は、デジタル複写装置（以下、複写装置という）１の内部構造を概略的に示す断面図である。
【００２５】
複写装置１は、原稿画像を読み取るスキャナ部２と、画像データに基づいて記録媒体に画像を形成するプリンタ部４とを備えている。また、スキャナ部２の上部にはＡＤＦ６がセットされている。ＡＤＦ６は、スキャナ部２の原稿台８１に対して開閉可能に取付けられ、原稿Ｄを原稿台８１に向けて１枚ずつ給送するとともに、原稿台８１に載置された原稿Ｄを原稿台８１に密着させる原稿押さえとして機能する。
【００２６】
プリンタ部４は、周知の減色混合法に基づいて、各色成分毎に色分解された画像、即ち、イエロー (以下、Ｙと示す) 、マゼンタ (以下、Ｍと示す) 、シアン (以下、Ｃと示す) およびブラック (以下Ｋと示す) の４色の画像をそれぞれ形成する第１乃至第４の画像形成部１０Ｙ、１０Ｍ、１０Ｃ、１０Ｋを有している。これらの画像形成部１０Ｙ、１０Ｍ、１０Ｃ、１０Ｋは、それぞれ独立したカートリッジ式のユニットで構成され、各ユニットは、複写装置本体１Ａから着脱自在に形成されている。
【００２７】
各画像形成部１０Ｙ、１０Ｍ、１０Ｃ、１０Ｋの下方には、各画像形成部１０Ｙ〜１０Ｋにより形成された各色毎の画像を図中矢印ａ方向に搬送する搬送ベルト２１を含む搬送機構２０が配設されている。搬送ベルト２１は、図示しないベルトモータにより回転される駆動ローラ２４とこの駆動ローラ２４から所定距離離間された従動ローラ２６との間に巻回されて張設され、矢印ａ方向に一定速度で無端走行される。尚、各画像形成部１０Ｙ、１０Ｍ、１０Ｃ、１０Ｋは、搬送ベルト２１の搬送方向に沿って直列に配置されている。
【００２８】
各画像形成部１０Ｙ、１０Ｍ、１０Ｃ、１０Ｋは、それぞれ、搬送ベルト２１と接する位置で外周面が同一の方向に回転可能に形成された像担持体としての感光体ドラム１１Ｙ、１１Ｍ、１１Ｃ、１１Ｋを含んでいる。各感光体ドラム１１Ｙ、１１Ｍ、１１Ｃ、１１Ｋには各感光体ドラム１１Ｙ、１１Ｍ、１１Ｃ、１１Ｋを所定の周速度で回転させるための図示しないドラムモータが接続されている。
【００２９】
感光体ドラム１１Ｙ、１１Ｍ、１１Ｃ、１１Ｋの軸線は、搬送ベルト２１により画像が搬送される方向と直交するよう配置され、各感光体ドラムの軸線が互いに等間隔に配置される。尚、以下の説明においては、各感光体ドラム１１Ｙ、１１Ｍ、１１Ｃ、１１Ｋの軸線方向を主走査方向とし、感光体ドラム１１Ｙ、１１Ｍ、１１Ｃ、１１Ｋが回転される方向すなわち搬送ベルト２１の搬送方向を副走査方向とする。
【００３０】
各感光体ドラム１１Ｙ、１１Ｍ、１１Ｃ、１１Ｋの周囲には、主走査方向に延出された帯電手段としての帯電ローラ１２Ｙ、１２Ｍ、１２Ｃ、１２Ｋ、主走査方向に同様に延出された現像装置１３Ｙ、１３Ｍ、１３Ｃ、１３Ｋ、主走査方向に同様に延出された転写手段としての転写装置１４Ｙ、１４Ｍ、１４Ｃ、１４Ｋ、および、主走査方向に同様に延出されたクリーニング装置１５Ｙ、１５Ｍ、１５Ｃ、１５Ｋが、それぞれ、対応する感光体ドラム１１Ｙ、１１Ｍ、１１Ｃ、１１Ｋの回転方向に沿って順に配置されている。尚、各転写装置１４Ｙ、１４Ｍ、１４Ｃ、１４Ｋは、対応する感光体ドラム１１Ｙ、１１Ｍ、１１Ｃ、１１Ｋとの間で搬送ベルト２１を狭持する位置、即ち搬送ベルト２１の内側に配設されている。また、後述する露光装置による露光ポイントは、それぞれ帯電ローラ１２Ｙ、１２Ｍ、１２Ｃ、１２Ｋ、と現像装置１３Ｙ、１３Ｍ、１３Ｃ、１３Ｋ、との間の感光体ドラム１１Ｙ、１１Ｍ、１１Ｃ、１１Ｋの外周面上に形成される。
【００３１】
搬送機構２０の下方には、各画像形成部１０Ｙ、１０Ｍ、１０Ｃ、１０Ｋにより形成された画像を転写する記録媒体としての記録紙Ｐを複数枚収容した用紙カセット３０が配置されている。
【００３２】
用紙カセット３０の一端部であって、従動ローラ２６に近接する側には、用紙カセット３０に収容されている記録紙Ｐを最上部から１枚ずつ取り出すピックアップローラ３２が配置されている。ピックアップローラ３２と従動ローラ２６との間には、用紙カセット３０から取り出された記録紙Ｐの先端と画像形成部１０Ｙの感光体ドラム１１Ｙに形成されたＹトナー像の先端とを整合させるためのレジストローラ３４が配置されている。また、他の感光体ドラム１１Ｍ、１１Ｃ、１１Ｋに形成されたトナー像（Ｍ、Ｃ、Ｋ）は、搬送ベルト２１上を搬送される記録紙Ｐの搬送タイミングに合せて各転写位置に供給され、トナー像Ｙとともに、用紙Ｐに転写される。
【００３３】
レジストローラ３４と第１の画像形成部１０Ｙとの間であって、従動ローラ２６の近傍、実質的に、搬送ベルト２１を挟んで従動ローラ２６の外周上には、レジストローラ３４を介して所定のタイミングで搬送される記録紙Ｐに、所定の静電吸着力を提供する吸着ローラ３６が配置されている。なお、吸着ローラ３６の軸線と従動ローラ２６の軸線は、互いに平行に配置される。
【００３４】
搬送ベルト２１の一端であって、駆動ローラ２４の近傍、実質的に、搬送ベルト２１を挟んで駆動ローラ２４の外周上には、搬送ベルト２１上に形成された画像パターンを検知するためのセンサ３８が、駆動ローラ２４から所定距離離間して配置されている。センサ３８は、透過型或いは反射型の光センサにより構成される。
【００３５】
駆動ローラ２４の外周上であってセンサ３８の下流側の搬送ベルト２１上には搬送ベルト２１上に付着したトナーあるいは記録紙Ｐの紙かすなどを除去するベルトクリーナ４０が配置されている。
【００３６】
搬送ベルト２１を介して搬送された記録紙Ｐが駆動ローラ２４から離脱されてさらに搬送される方向には、記録紙Ｐを所定温度に加熱することにより記録紙Ｐに転写されたトナー像を溶融し、トナー像を記録紙Ｐに定着させる定着装置５０が配置されている。
【００３７】
プリンタ部４の右側に位置する複写装置本体１Ａの側面には、記録紙Ｐを手差し供給するための供給口４ａが形成され、供給口４ａには給紙トレー４２が設けられている。供給口４ａを介して給紙された記録紙Ｐは、レジストローラ３４に導かれ、各画像形成部１０Ｙ〜１０Ｋに供給される。また、プリンタ部４の左側に位置する複写装置本体１Ａの側面には、定着装置５０を介して排出された記録紙Ｐを受ける排紙トレー４４が設けられている。
【００３８】
各感光体ドラムの外周面上にそれぞれ色分解された静電潜像を形成する露光装置６０は、後述する画像処理部にて色分解された各色成分毎の画像データ（Ｙ、Ｍ、Ｃ、Ｋ）に基づいて発光制御される各色毎の半導体レーザ（図示しない）を有している。
【００３９】
各半導体レーザ装置から出射されるレーザビームの光路上には、所定の回転速度で回転しつつ各レーザビームを同一の反射面で同時に反射することにより主走査方向に各レーザビームを偏向する単一の走査手段としてのポリゴンミラー６１が設けられている。
【００４０】
ポリゴンミラー６１へ導かれる４本のレーザビームは副走査方向に各々別の角度を持って入射し、反射面では４本のレーザビームは副走査方向にずれた位置にて反射されるようになっている。
【００４１】
このポリゴンミラー６１は、互いに隣接して配置された８面の反射面を有している。
この実施の形態では、ポリゴンミラー６１の各反射面を利用してレーザビームを偏向し、感光体ドラム１１上の軸線方向、すなわち主走査方向にライン状にレーザビームを走査させる。このポリゴンミラー６１は、その下方に設けられたポリゴンモータ６１ａにより所定の回転数で回転される。
【００４２】
ポリゴンミラー６１によってレーザービームが反射される方向には、反射された各レーザビームを補正して所定の結像位置、すなわち対応する各感光体ドラム１１Ｙ、１１Ｍ、１１Ｃ、１１Ｋ上の露光位置で結像させるための第１乃至第３のレンズ６２、６３、６４によって構成される結像光学系が設けられている。
【００４３】
第３のレンズ６４と各感光体ドラム１１Ｙ、１１Ｍ、１１Ｃ、１１Ｋとの間には、第３のレンズ６４を通過された各色毎のレーザービームを各感光体ドラム１１Ｙ、１１Ｍ、１１Ｃ、１１Ｋの露光位置に向けて折り曲げる第１の折り返しミラー６５（Ｙ、Ｍ、Ｃ、Ｋ）、および、第１の折り返しミラー６５Ｙ、６５Ｍ、６５Ｃにより折り曲げられたレーザービームを更に折り曲げる第２および第３の折り返しミラー６６（Ｙ、Ｍ、Ｃ）、６７（Ｙ、Ｍ、Ｃ）が配置されている。尚、黒用のレーザービームは第１の折り返しミラー６５Ｋにより折り返された後、他のミラーを経由せずに感光体ドラム１１Ｋに案内される。
【００４４】
原稿の画像を読取るスキャナ部２は、その上部に、閉じた状態にあるＡＤＦ６に対向され、原稿Ｄがセットされる透明なガラスからなる原稿台８１を有している。原稿台８１の下方には、原稿台８１に載置された原稿Ｄを照明する露光ランプ８２、露光ランプ８２からの光を原稿Ｄに集光させるためのリフレクター８４および原稿Ｄからの反射光を図中左方向に折曲げる第１ミラー８６などが配設されている。
【００４５】
これらの露光ランプ８２、リフレクター８４、および第１ミラー８６は、第１キャリッジ８８に固定されている。第１キャリッジ８８は、図示しない歯付きベルト等を介して図示しないパルスモータに接続され、パルスモータの駆動力が伝達されて原稿台８１に沿って平行に移動される。
【００４６】
第１キャリッジ８８に対して図中左側、すなわち第１ミラー８６により反射された反射光が案内される方向には、図示しない駆動機構たとえば歯付きベルトならびにＤＣモータなどを介して原稿台８１と平行に移動可能に設けられた第２キャリッジ９０が配設されている。第２キャリッジ９０には、第１ミラー８６により案内される原稿Ｄからの反射光を下方に折曲げる第２ミラー９２、および第２ミラー９２からの反射光を図中右方に折り曲げる第３ミラー９４が互いに直角に配置されている。第２キャリッジ９０は、第１キャリッジ８８に従動されるとともに、第１キャリッジ８８に対して１／２の速度で原稿台８１に沿って平行に移動される。
【００４７】
第２キャリッジ９０を介して折返された光の光軸を含む面内には、第２キャリッジ９０からの反射光を所定の倍率で結像させる結像レンズ９６が配置されている。結像レンズ９６を通過した光の光軸と略直交する面内には、結像レンズ９６により集束性が与えられた反射光を電気信号、すなわち画像データに変換するＣＣＤイメージセンサ９８が配置されている。
【００４８】
このように構成されたスキャナ部２により、露光ランプ８２からの光をリフレクター８４により原稿台８１上の原稿Ｄに集光させると、原稿Ｄからの反射光が、第１ミラー８６、第２ミラー９２、第３ミラー９４、および結像レンズ９６を介してＣＣＤイメージセンサ９８に入射され、原稿画像の情報が電気信号としての画像データに変換される。ＣＣＤイメージセンサ９８は、画像処理部９９に接続されている。この画像処理部は、ＣＣＤイメージセンサ９８から供給された画像データを一時的に記憶する画像メモリを含んでいる。そして、この画像処理部は、画像メモリに記憶された画像データに基づいて各色成分毎の画像データを作成する。
【００４９】
図２は定着器５０を示す構成図である。
図中５１は定着手段で、この定着手段５１は上部ローラ（以下、定着ローラという）５２と、この上部ローラ５２の下部側に転接される下部ローラ５３とによって構成されている。定着ローラ５２、下部ローラ５３にはヒータ５２ａ，５３ａが内蔵されている。
【００５０】
定着ローラ５２は記録媒体Ｐのトナー像側に対向し、記録媒体Ｐ上のトナー像は上下ローラ５２，５３のニップ部で加熱、加圧されて記録媒体Ｐに定着されるようになっている。
【００５１】
上部ローラ５２の周面には、オイルを供給するオイル供給ローラ５５、上部ローラ５２の汚れを除去するクリーニングウェブ５６が接触されている。
定着ローラ５２，５３の表面の温度は、図５に示す可変手段としての制御手段５９により、媒体の種類に応じてヒータ５２ａ，５３ａの発熱量が制御されることにより可変されるようになっている。
【００５２】
すなわち、媒体として標準的なコピー用紙を使用する場合は、第１の加熱モードであるノーマルモード（例えば１６０℃）、媒体としてＯＨＰ用媒体、厚紙を使用する場合は、第２の加熱モードであるＯＨＰ・厚紙モード（例えば１７０℃）に切り替えられる。ＯＨＰ・厚紙モードはノーマルモードに比べ高く設定されている。
【００５３】
通常、定着ローラ５２の表面温度はノーマルモードもしくは待機モードの温度に制御されているが、図５に示す媒体検出（選択）手段６０により記録媒体がＯＨＰ用媒体もしくは厚紙であると検出（選択）されると、ＯＨＰ・厚紙モードの温度に制御されて高くなる。
【００５４】
また、ＯＨＰ用媒体、厚紙の記録が終了すると、ノーマルモードもしくは待機モードに切り替わり温度が低下される。
一方、定着ローラ５２の排紙側近傍には、加熱手段としての補助加熱ローラ５７が設けられ、この補助加熱ローラ５７は熱伝導率の大きいアルミニュームで成形されたローラ部５７ｂと、このローラ部５７ｂ内に設けられた熱源としてのヒータランプ５７ａとにより構成されている。
【００５５】
補助加熱ローラ５７は、通常、図２に示すように、定着ローラ５２から離間する第２の位置にあり、加熱モードがＯＨＰ・厚紙モードになると、定着ローラ５２の表面温度を上げるために、定着ローラ５２内部のヒータランプ５２ａがオンすると共に、補助加熱ローラ５７が定着ローラ５２に接触する第１の位置に移動し、内部のヒータランプ５７ａがオンするようになっている。
【００５６】
なお、補助加熱ローラ５７は、内蔵のヒータランプ５７ａが無い構造、もしくはヒータランプ５７ａを使用しなければ放熱ローラとしても使用することができる。
【００５７】
この場合、ローラ５７は、通常、定着ローラ５２から離間させて接触しないようにしておき、ＯＨＰ・厚紙モードからノーマルモードもしくは待機モードに切り替わり定着ローラ５２の表面温度を低下させる時に定着ローラ５２に接触する位置に移動する。
【００５８】
また、放熱ローラ５７の効果を最大限に引き出すため、放熱ローラ５７が定着ローラ５２から離間しているときには、定着ローラ５２，放熱ローラ５７間に断熱部材としての断熱シャッタ５８が介在され、この断熱シャッタ５８は放熱ローラ５７の接離動作と同期させて放熱ローラ５７が定着ローラ５２に接触する際には開放されるようになっている。
【００５９】
図３及び図４は補助加熱ローラ５７と、断熱シャッタ５８の駆動機構７２を示すものである。
駆動機構７２は同一の駆動源としてのソレノイド７３により補助加熱ローラ５７と、断熱シャッタ５８を駆動できるようになっている。
【００６０】
ソレノイド７３の操作子７３ａには、第１のレバー７４、及び第２のレバー７５の一端部が接続されている。第１のレバー７４は中途部が支軸７４ａにより回動自在に支持され、スプリング７８により上方へ回動するように付勢されている。
【００６１】
第２のレバー７５の他端部にはピン７６ｂを介してブラケット７６の下端側が接続されている。ブラケット７６は支軸７６ａにより回動自在に支持され、上端部側には補助加熱ローラ５７が保持されている。
【００６２】
断熱シャッタ５８は支軸５８ａにより回動自在に支持され、支軸５８ａの近傍には断熱シャッタ５８を反時計方向に回動させる錘５８ｂが設けられている。
上記したように、ＯＨＰ・厚紙モードが設定されると、ソレノイド７３に通電されて励磁される。この励磁により、ソレノイド７３の操作子７３ａが矢印方向に引き付けられ、図３に示す状態から第１のレバー７４が支軸７４ａを中心としてスプリング７８の付勢力に抗して下方へ回動される。この回動により、第１のレバー７４が断熱シャッタ５８の錘５８ｂから離間し、断熱シャッタ５８がその錘５８ｂにより支軸５８ａを支点に反時計方向に回動し開放される。
【００６３】
また、このとき、第２のレバー７５も同時に引かれ、補助加熱ローラ５７を保持しているブラケット７６が支軸７６ａを支点に時計方向に回転し、補助加熱ローラ５７が定着ローラ５２に当接して加熱する。
【００６４】
一方、ノーマルモードもしくは待機モードのなると、ソレノイド７３がオフされ、スプリング７８の付勢力により、第１のレバー７４が上方へ回動し、断熱シャッタ５８の錘５８ｂを持ち上げる。これにより、断熱シャッタ５８が時計方向に回動されて閉じられるとともに、第２のレバー７５も元の位置に戻り、加熱補助ローラ５７も定着ローラ５２から離間する。
【００６５】
また、放熱ローラ５７が定着ローラ５２から離間後、蓄積した熱をすぐに放熱できるように、定着装置５０の上部側にはダクト７１が形成されている。
ダクト７１は定着ローラ５２の上部側を包囲する上部カバー１０３と、この上部カバー１０３の外周部を所定間隔を存して包囲する外側カバー１０２とによって構成されている。
【００６６】
ダクト７１内には定着ローラ５２の温度を低下させるための冷却ファン１０１が設けられている。冷却ファン１０１は通常は動作させず（もしくは低速で動作しており）、定着ローラ５２の表面温度を低下させる時のみ動作させる（もしくは高速で動作させる）。
【００６７】
また、上部カバー１０３には複数の開口部１０４ａ〜１０４ｃが穿設され、これら開口部１０４ａ〜１０４ｃは開閉部材としてのルーバー１０５ａ〜１０５ｃによって開閉されるようになっている。
【００６８】
通常、ルーバー１０５ａ〜１０５ｃは閉じた状態にして内部の熱を逃がさないようにしておく。
そして、ＯＨＰ・厚紙モードからノーマルモードに切り替わり定着ローラ５２の表面の設定温度を高い温度から低い温度にする際に、ルーバー１０５ａ〜１０５ｃを開いた状態にし、定着装置５０内部の熱が矢印で示すように、素早く外部に逃げるようにする。
【００６９】
なお、ダクト７１は、通常、複写装置内部のエアーを引く（図中点線矢印）構造となっているが、上記ルーバー１０５ａ〜１０５ｃが開いた状態になった時は、ルーバー１０５ａ〜１０５ｃの一つ１０５ｃが図のようにダクト７１の壁の一部となり、定着装置５０内部から積極的にエアーを引くことができるようになっている。
【００７０】
上記したように、この実施の形態によれば、定着ローラ５２の外部に補助加熱ローラ５７を設け、定着ローラ５２のゴム層を表面からも加熱するため、従来のように加熱ローラ内部からのみ加熱していた場合と比較して加熱ローラ５２表面の温度を上げるのに要する時間を短縮することができる。
【００７１】
また、補助加熱ローラ５７を定着ローラ５２を冷却する放熱ローラとして兼用できるため、簡単な構成で定着ローラ５２の表面温度を下げるのに要する時間も短縮化できる。
【００７２】
また、補助加熱ローラ５７のローラ部５７ｂを高熱伝導率のアルミニュームにより構成するため、定着ローラ５２の表面をより一層速く加熱することができ、放熱ローラとして使用した場合には定着ローラ５２の表面をより一層速く冷却できる。
【００７３】
また、放熱ローラを非作動時に定着ローラ５２から離間させたときは、放熱ローラと定着ローラ５２との間に断熱シャッタ５８を介在させて定着ローラ５２からの放射熱を受けないようにするため、放熱ローラを低温状態に維持でき、定着ローラ５２に接触されたときは、定着ローラ５２のゴム層に蓄積された熱を効率よく放熱することができる。
【００７４】
さらに、カバー１０３のルーバー１０５ａ〜１０５ｃを開放し、冷却ファン１０１を回転させることにより、定着装置５０内部の熱を積極的に外部に逃がすことができ、より速く定着ローラ５２を冷却することができる。
【００７５】
また、補助加熱ローラ５７の定着ローラ５２への接離動作と断熱シャッタ５８の開閉動作を単一のソレノイド７３によって動作するため、駆動機構を簡略化することができる。
【００７６】
さらに、定着ローラ５２の冷却時にルーバールーバー１０５ａ〜１０５ｃを開放し、そのルーバーの一部がダクト７１の壁の一部を形成するため、定着装置５０内部からより積極的に熱を引くことができ、定着装置５０内部が効率よく冷却され、定着ローラ５２の温度を下げるのに要する時間の短縮が図れる。
【００７７】
【発明の効果】
本発明は以上説明したように、定着手段の近傍に定着手段を表面側から加熱する加熱手段を設けるから、定着手段をその内部からのみ加熱する場合と比較して定着手段の表面温度を上げるのに要する時間を短縮することができ、稼働効率を向上することができる。
【００７８】
また、加熱手段を高熱伝導率の材質により構成して定着手段に接触させることから、定着手段の表面をより迅速に加熱することができる。
また、定着手段を冷却する冷却手段を備えるから、定着手段の表面温度を下げるのに要する時間も短縮化できる。
【００７９】
また、冷却手段の非作動時には、冷却手段と定着手段との間に断熱部材を介在させて定着ローラから冷却手段に向かう放射熱を遮断するから、冷却手段の温度上昇を防止でき、定着ローラに接触したときには効率良く放熱させることができる。
【００８０】
さらに、冷却ファンを回転することにより、定着手段を包囲するカバーの開口部をから定着装置内部の熱を吸引するから、定着装置内部の熱を積極的に装置外部に逃がし、より速く定着手段を冷却することができる。
【００８１】
また、加熱手段と冷却手段を兼用化し、更に定着手段への接離動作と断熱部材の開閉動作を同一の駆動源によって動作させるから、簡単な機構で加熱と冷却の両方の機能を持たすことができる。
【図面の簡単な説明】
【図１】本発明の一実施の形態である電子写真複写装置を示す内部構成図。
【図２】定着装置を示す構成図。
【図３】補助加熱ローラが定着ローラから離間した状態を示す構成図。
【図４】補助加熱ローラが定着ローラに接触した状態を示す構成図。
【図５】加熱ローラの駆動制御系を示すブロック図。
【符号の説明】
５２…定着ローラ（定着手段）
５５…オイル供給ローラ
５６…クリーニングウェブ
５７…補助加熱ローラ（加熱手段）
５７ａ…ヒータランプ
１０１…冷却ファン（冷却手段）
１０５ａ〜１０５ｃ…ルーバー
７１…ダクト
５８…断熱シャッタ（断熱部材）
５８ｂ…錘
５９…制御手段（加熱モード可変手段）
７３…ソレノイド（駆動源）
７４…第１のレバー
７５…第２のレバー
７８…スプリング
７６…ブラケット
【図１】
0003788844.tif 000002
【図２】
0003788844.tif 000003
【図３】
0003788844.tif 000004
【図４】
0003788844.tif 000005
【図５】
0003788844.tif 000006